(57)【要約】  本開示は、毛を捕捉する方向に沿って、取り付け具（１０）又は脱毛器（１）のハウジングに対して駆動移動するように構成された、毛をクランプし引っ張る、少なくともクランプユニット（３１）を有する脱毛器（１）の取り付け具（１０）又は脱毛器に関し、クランプユニット（３１）は、クランプ表面及び毛ガイド表面を有する可動クランプ要素（３３）と、クランプ表面及び毛ガイド表面を有する固定クランプ要素（３２）とを含み、可動クランプ要素及び固定クランプ要素は、２つのクランプ表面が、その間に毛を受容するための空隙（３４）が形成されるように、最小の距離を有する、開放位置と、２つのクランプ表面が互いに当接する閉鎖位置との間で周期的に移動できるように構成されており、２つの毛ガイド表面は、開放位置において、毛を捕捉する方向において空隙（３４）の前方に漏斗形状を形成し、この漏斗形状は、毛を捕捉する方向と垂直な幅方向で測定した幅を有し、この漏斗形状幅は、可動クランプ要素の毛ガイド表面の幅、空隙幅、及び固定クランプ要素の毛ガイド表面の幅の合計により求められ、固定クランプ要素の毛ガイド表面の幅は、可動クランプ要素の毛ガイド表面の幅より大きく、任意により、固定クランプ要素の毛ガイド表面の幅は、可動クランプ要素の毛ガイド表面の幅及び空隙幅の合計とほぼ同じ大きさである。
2015530211.tif 000002
【特許請求の範囲】
【請求項１】
毛をクランプし、引っ張るための少なくとも１つのクランプユニット（３１）であって、前記クランプユニットは、毛を捕捉する方向に移動するための、クランプシリンダー（３０）上で、その長手方向シリンダー軸（３９）を中心に構成及び回転駆動され、前記クランプユニット（３１）は、
クランプ区分及び少なくとも翼状区分を有する可動クランプ要素（３３）であって、前記クランプ区分はクランプ表面を有し、前記翼状区分はガイド表面を有し、このガイド表面は、少なくとも前記毛を捕捉する方向において前記クランプ表面から外側に傾く、可動クランプ要素（３３）と、
クランプ区分及び少なくとも翼状区分を有する固定クランプ要素（３２）であって、前記クランプ区分はクランプ表面を有し、前記翼状区分はガイド表面を有し、このガイド表面は、少なくとも前記毛を捕捉する方向に対して外側に傾く、固定クランプ要素（３２）と、
前記クランプユニット（３１）は、毛を受容するための、前記毛を捕捉する方向と垂直な幅方向で最小幅を有する空隙（３４）が、前記可動クランプ要素（３３）の前記クランプ表面と、前記固定クランプ要素（３２）の前記クランプ表面との間で延びる、開放位置と、前記可動クランプ要素（３３）の前記クランプ表面と、前記固定クランプ要素（３２）の前記クランプ表面が、少なくともクランプ線に沿って互いに当接する閉鎖位置との間で周期的に移動するように構成され、
前記可動クランプ要素の前記ガイド表面が、毛を前記空隙（３４）の方に案内する漏斗形状の第１の側を画定し、前記固定クランプ要素の前記ガイド表面が前記漏斗形状の第２の側を画定し、
前記毛を捕捉する方向と垂直な幅方向で測定された、前記固定クランプ要素の前記毛ガイド表面の前記幅は、前記可動クランプ要素の前記毛ガイド表面の前記対応する幅よりも大きく、前記可動クランプ要素（３３）、又は前記固定クランプ要素（３２）の前記翼状区分の前記ガイド表面が、前記対応するクランプ表面から傾く角度は、約３０°以下である、脱毛器。
【請求項２】
前記固定クランプ要素（３２）の前記毛ガイド表面の前記幅が、前記可動クランプ要素（３３）の前記毛ガイド表面の幅と、前記開放位置における前記空隙（３４）の幅との合計とほぼ同じ大きさである、請求項１に記載の脱毛器。
【請求項３】
前記固定クランプ要素の前記翼状区分の前記ガイド表面が、前記対応するクランプ表面から傾く角度は、約２０°以下である、請求項１又は２に記載の脱毛器。
【請求項４】
前記クランプユニット（３１）は、前記クランプシリンダー（３０）の前記外辺部の別個の突起部を形成する、請求項１〜３の少なくとも一項に記載の脱毛器。
【請求項５】
前記毛を捕捉する方向で測定した、前記クランプユニット（３１）の前記クランプ長さは、前記クランプシリンダー（３０）の外辺部の約８％〜約１２％の範囲であり、特にこの値は約１０％であり、任意により、前記可動クランプ要素（３３）の外側縁部、及び前記固定クランプ要素（３２）の外側縁部は、前記クランプシリンダー（３０）の筒状シリンダーの湾曲に従う、請求項１〜４の少なくとも一項に記載の脱毛器。
【請求項６】
前記可動クランプ要素又は前記固定クランプ要素の一方の、少なくとも１つの翼区分が、最外弧状区分を含み、及び／又は前記可動クランプ要素又は前記固定クランプ要素の少なくとも一方の前記クランプ区分が、最外弧状部分を含む、請求項１〜５の少なくとも一項に記載の脱毛器。
【請求項７】
前記クランプユニット（３１）は、回転軸（３９）を中心に回転するクランプシリンダー（３０）上に配置され、前記可動クランプ要素（３３）は、前記毛を捕捉する方向と垂直な方向、又は前記回転軸（３９）と平行な方向に可動である、請求項１〜６の少なくとも一項に記載の脱毛器。
【請求項８】
前記クランプシリンダー（３０）上に配置される複数のクランプユニット（３１）であって、前記クランプユニット（３１）の前記空隙の前記幅は、その各開放位置において、前記クランプシリンダー（３０）の有効幅の１００％未満、任意により８０％未満、及び更に任意により７０％未満を占める、請求項１〜７の少なくとも一項に記載の脱毛器。
【請求項９】
前記クランプユニット（３１）のそれぞれが、その対応する開放位置において合計幅を有する漏斗形状を有し、全ての漏斗形状の前記合計幅の和は、前記クランプシリンダー（３０）の前記有効幅の３００％超である、請求項１〜８の少なくとも一項に記載の脱毛器。
【請求項１０】
前記毛を捕捉する方向に沿って測定した前記固定クランプ要素（３２）の前記毛ガイド表面の前記長さは、前記可動クランプ要素（３３）の前記毛ガイド表面の対応する長さよりも大きい、請求項１〜９の少なくとも一項に記載の脱毛器。
【請求項１１】
前記クランプユニット（３１）が毛を捕捉する前記合計有効幅は２ｍｍ〜７ｍｍであり、これは、クランプユニット（３１）内の隣接する双方の翼状区分の幅と、開放位置にある際の双方のクランプ区分の間の前記空隙（３４）の幅との合計である、請求項１〜１０の少なくとも一項に記載の脱毛器。
【請求項１２】
クランプシリンダー（３０）は、そのシリンダー長手方向軸を中心に回転するように構成され、動作中にユーザーの皮膚と接触することを意図されない、前記クランプシリンダー（３０）のより低い表面の少なくとも一部が、特に前記シリンダー長手方向軸と平行に延びるリッジ（３６）として実現される規則的構造、又は特に非平坦な表面若しくはコーティングされた表面によって実現される、毛に対するより高い摩擦係数のいずれかを含む、請求項１〜１１の少なくとも一項に記載の脱毛器。
【請求項１３】
前記リッジ（３６）は、０．０５ｍｍ〜約０．５ｍｍの範囲の半径方向高さを有し、特に前記半径方向の高さは約０．０８ｍｍ〜０．２ｍｍの範囲であり、任意により、前記リッジ（３６）の間の周囲方向の距離は、約０．２ｍｍ〜約２ｍｍの範囲である、請求項１２に記載の脱毛器。
【請求項１４】
少なくとも１つのクランプユニット（３１）は、クランプ表面を有するクランプ区分、及び毛を案内するために前記クランプ表面から傾くガイド表面を有する翼状区分を有するクランプ要素を含み、前記ガイド表面は、三次元形状を有し、前記ガイド表面は２つの異なる方向に傾いている、請求項１〜１３の少なくとも一項に記載の脱毛器。
【請求項１５】
請求項１〜１４の少なくとも一項に記載の特徴による、クランプユニット（３１）を含む、脱毛器の取り付け具。
【請求項１６】
クランプ表面を有するクランプ区分、及び前記クランプ表面から外側に傾いたガイド表面を有する翼状区分を有する、少なくとも可動クランプ要素を含み、前記翼状区分は、非拘束の状態において、前記クランプ区分から、所定の角度で傾くように予負荷を受け、前記翼状区分が前記クランプ要素から傾く角度が、前記予負荷の力に逆らうように働く方向で前記翼区分に対して力をかけることにより修正され得るように、柔軟に又は枢動可能に構成されている、任意により請求項１〜１５の少なくとも一項に記載の、少なくとも１つのクランプユニット（３１）を含む脱毛器。
【請求項１７】
前記可動クランプ要素（３３）は、第１位置と第２位置との間で可動であるように構成され、前記翼状区分の少なくとも自由先端部が、この運動の少なくとも一部において、固定壁要素と接触しており、これにより、前記ガイド表面が前記クランプ表面から傾く角度は、少なくとも前記運動の前記一部の間において修正され、その間前記翼状区分の前記自由端は、前記固定壁要素と接触している、請求項１６に記載の脱毛器。
【発明の詳細な説明】
【技術分野】
【０００１】
本発明の脱毛器の取り付け具、及び脱毛器に関する。
【背景技術】
【０００２】
脱毛器は、２つのクランプ要素を含むクランプユニットが上部に配置された、クランプシリンダーを含み得ることが既知である。動作中、クランプシリンダーが、そのシリンダー軸を中心に回転するように駆動される。クランプユニットは、そこに毛が入り得るように、２つのクランプ要素の間に空隙が延びる開放位置と、２つのクランプ要素が少なくともクランプ線に沿って互いに当接する閉鎖位置であって、閉鎖位置にある際に、クランプユニットがクランプシリンダー上で回転し続けるときに、クランプ要素の間でクランプされた毛がユーザーの皮膚から引かれる、閉鎖位置との間で周期的に移動するように構成されている。欧州特許第１  ７９６  ５０１（Ｂ１）号は一般的に、複数のクランプユニットを有するクランプシリンダーについて記載する。
【先行技術文献】
【特許文献】
【０００３】
【特許文献１】欧州特許第１  ７９６  ５０１（Ｂ１）号
【発明の概要】
【発明が解決しようとする課題】
【０００４】
脱毛器の効率性を向上させる、すなわち、クランプされ、引かれる毛の数を増加させることが、一般的に所望されている。
【０００５】
したがって、本開示の目的は、脱毛器の取り付け具、及び既知の装置よりもクランプ及び引っ張りの効率がより高い脱毛器を提示することである。
【課題を解決するための手段】
【０００６】
一態様により、少なくとも毛をクランプし、引っ張るクランプユニットを含む、脱毛器の取り付け具、又は脱毛器がもたらされ、クランプユニットは、毛を捕捉する方向に沿って駆動運動するように構成され、クランプユニットはクランプ区分及び少なくとも翼状区分を有する可動クランプ要素を含み、クランプ区分はクランプ表面を有し、翼状区分はガイド表面を含み、このガイド表面は、少なくとも毛を捕捉する方向に対してクランプ表面から外側へと傾いており、固定クランプ要素はクランプ区分、及び少なくとも翼状区分を有し、クランプ区分はクランプ表面を有し、翼状区分はガイド表面を有し、このガイド表面は、毛を捕捉する方向に対してクランプ表面から外側に傾いており、クランプユニットは、毛を受容する、毛を捕捉する方向と垂直な幅方向に最小幅を有する空隙が、可動クランプ要素のクランプ表面と、固定クランプ要素のクランプ表面との間に延びる開放位置と、可動クランプ要素のクランプ表面と、固定クランプ要素のクランプ表面とが少なくともクランプ線に沿って互いに当接する閉鎖位置との間で周期的に移動するように構成され、可動クランプ要素のガイド表面は、毛を空隙の方に案内する漏斗形状の第１の側を画定し、固定クランプ要素のガイド表面は漏斗形状の第２の側を画定し、毛を捕捉する方向と垂直な幅方向において測定される固定クランプ要素の毛ガイド表面の幅は、可動クランプ要素の毛ガイド表面の対応する幅よりも大きい。
【０００７】
一態様により、任意により、本開示の他のいずれかの態様により、クランプ表面を有するクランプ区分、及びクランプ表面から外側に傾いたガイド表面を有する翼状区分を有する、少なくとも可動クランプ要素を含む、少なくともクランプユニットを含む、脱毛器の取り付け具、又は脱毛器が提供され、翼状区分は、非拘束の状態において、これがクランプ区分から、所定の角度で傾くように予負荷を受け、翼状区分がクランプ要素から傾く角度が、予負荷の力に逆らうように働く方向で翼区分に対して力をかけることにより修正され得るように、柔軟に又は枢動可能に構成されている。
【０００８】
一態様により、任意により本開示の他のいずれかの態様により、クランプ表面を有するクランプ区分、及び毛を案内するためにクランプ表面から傾くガイド表面を有する翼状区分を含む、クランプ要素を含む、少なくともクランプユニットを含む、脱毛器の取り付け具、又は脱毛器が提供され、ガイド表面は、ガイド表面が２つの異なる方向に（平面、又は湾曲面に対して）傾いている、又は（湾曲面に対して）曲がっている三次元形状を有する。したがって、ガイド表面は、捻れた状態で、又は少なくとも２つの方向に傾いた状態で延びる。平坦な短い毛は、翼状区分を有することにより（例えば、やはりクランプシリンダー軸に向かって内側にわずかに傾いた漏斗形状により形成される傾きに加えて）、ガイド表面に沿って容易に把持することができる。
【０００９】
一態様により、任意により、本開示の他のいずれかの態様により、クランプ表面を有するクランプ区分、及びクランプ表面から外側に傾いたガイド表面を有する翼状区分を有する、少なくとも可動クランプ要素を含む、少なくともクランプユニットを含む、脱毛器の取り付け具、又は脱毛器が提示され、翼状区分は、非拘束の状態において、これがクランプ区分から、所定の角度で傾くように予負荷を受け、翼状区分がクランプ要素から傾く角度が、予負荷の力に逆らうように働く方向で翼区分に対して力をかけることにより修正され得るように、柔軟に又は枢動可能に構成されている。
【００１０】
一態様により、任意により本開示の他のいずれかの態様により、少なくともクランプユニットを含む脱毛器の取り付け具、又は脱毛器が提示され、クランプユニットはクランプ表面を有する可動クランプ要素、及びクランプ表面を有する第２クランプ要素を有し、これらは、最小幅を有する空隙が２つのクランプ表面の間で延びる開放位置と、クランプ表面がある長さにわたり互いに当接する閉鎖位置との間である閉鎖速度で周期的に可動であるように構成されており、このクランプユニットは脱毛器のハウジングに対してある移動速度で可動であるように構成され、閉鎖時間に対するクランプユニットの有効毛捕捉面積は、少なくとも３５００ｍｍ2／秒であり、特に閉鎖時間に対するクランプユニットの有効毛捕捉面積は、少なくとも４０００ｍｍ2／秒であり、更に、特に閉鎖時間に対するクランプユニットの有効毛捕捉面積は、少なくとも４５００ｍｍ2／秒である。
【００１１】
一態様において、毛を捕捉する方向に沿って、脱毛器のハウジングに対して駆動移動するように構成された、毛をクランプし引っ張る、少なくともクランプユニットを含む脱毛器の取り付け具又は脱毛器が提示され、クランプユニットは、クランプ表面及び毛ガイド表面を有する可動クランプ要素と、クランプ表面及び毛ガイド表面を有する固定クランプ要素とを含み、可動クランプ要素及び固定クランプ要素は、２つのクランプ表面が、その間に毛を受容するための空隙が形成されるように、最小の距離を有する、開放位置と、２つのクランプ表面が互いに当接する閉鎖位置との間で周期的に移動できるように構成されており、２つの毛ガイド表面は、開放位置において、毛を捕捉する方向において空隙の前方に漏斗形状を形成し、この漏斗形状は、毛を捕捉する方向と垂直な幅方向で測定した幅を有し、この漏斗形状幅は、可動クランプ要素の毛ガイド表面の幅、空隙幅、及び固定クランプ要素の毛ガイド表面の幅の合計により求められ、固定クランプ要素の毛ガイド表面の幅は、可動クランプ要素の毛ガイド表面の幅よりも大きく、任意により固定クランプ要素の毛ガイド表面の幅は、可動クランプ要素の毛ガイド表面の幅と、空隙幅との合計とほぼ同じ大きさである。
【図面の簡単な説明】
【００１２】
本開示は、実施形態例の詳述及び図面の参照によって、更に説明される。図面中、
【図１】取り付け具及びハウジング区分を含む、脱毛器の一般的な描写である。
【図２】取り外した状態にある、図１に示される取り付け具の描写である。
【図３】本開示の少なくとも一態様による、クランプシリンダーの代表的な実施形態の描写である。
【図４Ａ】開放位置において示される、本記載の少なくとも一態様による、クランプユニットの代表的な実施形態の概略的な描写である。
【図４Ｂ】閉鎖位置における、図４Ａに示されるクランプユニットの描写である。
【図５Ａ】開放位置において示される、本記載の少なくとも一態様による、クランプユニットの別の代表的な実施形態の概略的な描写である。
【図５Ｂ】閉鎖位置における、図５Ａに示されるクランプユニットの描写である。
【図６】長手方向のシリンダー軸と垂直な平面における、クランプシリンダーの横断面である。
【発明を実施するための形態】
【００１３】
本発明のいずれかの態様による、脱毛器の取り付け具、又は脱毛器は特に、上部に少なくとも１つのクランプユニットが配置されたキャリア（例えば、クランプシリンダー又はクランプディスク）を含み得、このクランプユニットは少なくとも２つのクランプ要素を含み、これらのクランプ要素の少なくとも１つが可動クランプ要素であり、他のクランプ要素は、同じく可動クランプ要素であるか、又は固定クランプ要素であるかのいずれかである。クランプユニットは、クランプシリンダーから突出するクランプシリンダーの外辺部の別個の部分を形成する。クランプユニット（すなわち、キャリア、例えば、クランプシリンダー）は、毛を捕捉する方向に沿って駆動運動するように構成されてもよい。各クランプ要素は、クランプ表面を有するクランプ区分を有する。クランプユニットのクランプ要素は、毛がそこに送達され得るように、クランプ要素のクランプ表面の間に、最小の空隙幅を有する自由空隙が延びるように構成された（すなわち、クランプ表面は、向かい合うように構成されている）開放位置と、少なくともクランプ線に沿ってクランプ表面が互いに当接する（以下で更に説明されるように、クランプ表面はまた、積層様式で互いに当接してもよい）閉鎖位置との間で周期的に可動であるように構成されている。閉鎖位置において、クランプ表面の間でクランプされる毛は、閉鎖位置にあるときにクランプユニットが、ユーザーの皮膚に対して毛を捕捉する方向に沿って移動し続けると、最終的に皮膚から引かれる。クランプ要素は、特にそれぞれ、上部にクランプ表面が配置されているクランプ区分と、毛を捕捉する方向において、クランプユニットの前に配置され、上部にガイド表面が配置された、翼状区分とを有してもよい。翼状区分は、毛を捕捉する方向に対し、クランプ区分から外側に離れるように角度を有し、これにより、クランプユニットが開放位置にあるとき、及びクランプユニットが閉じつつあるとき、すなわち、空隙が閉じるまでガイド表面によって、狭まりつつある空隙内に毛が案内されるとき（すなわち、空隙が小さすぎて毛が空隙に送達されなくなるまで）、クランプ表面の間に延びる空隙に向かって毛を案内するように、クランプユニットの２つのクランプ要素の翼状区分のガイド表面それぞれが、漏斗形状の一方の側を形成する。漏斗形状の、２つのこのように形成される側部はそれぞれ、毛を捕捉する方向と垂直な方向の幅方向で測定され（幅方向はまた、閉鎖位置におけるクランプ表面とも本質的に垂直である）、特に、クランプユニットが可動クランプ要素及び固定クランプ要素を備える、本開示の少なくとも１つの態様により、可動クランプ要素のガイド表面の幅は、固定クランプ要素のガイド表面の幅よりも小さい。いくつかの実施形態において、固定クランプ要素のガイド表面の幅はひいては、可動クランプ要素のガイド表面の幅と、開放位置にあるときの空隙の幅の合計とほぼ同じ程度の大きさであるように選択されてもよい。
【００１４】
本開示の少なくとも一態様による、脱毛器の取り付け具、又は脱毛器のいくつかの実施形態において、複数のクランプユニットは、長手方向中央軸（線形である）を中心に駆動回転するように構成された、クランプシリンダー上に配置される。したがって、クランプユニットは、回転軸を中心に回転するクランプシリンダー上に配置され、可動クランプ要素は、毛を捕捉する方向に垂直な方向、換言すれば上記回転軸（これは、クランプシリンダーの長手方向中央軸と同じ軸である）と平行な方向で可動である。幅方向は、ひいては、長手方向シリンダー軸と平行である。クランプユニットはひいては、開放位置において、クランプユニットの空隙が、その開放位置において、シリンダー長手方向において重複しないように、すなわち、複数のクランプユニットの全ての空隙の合計が、クランプシリンダーの有効幅（クランプシリンダーが脱毛を行う幅）の１００％未満、特に９０％未満、８０％未満、７０％未満、又は６５％未満を被覆するように、構成され得る。全てのクランプユニットのクランプ区分の間の全ての空隙の合計は、クランプシリンダーの全幅よりも小さい。複数のクランプユニットのそれぞれが、クランプユニットの前に、漏斗形状を有するいくつかの場合において、全てのクランプユニットの全ての漏斗形状の全幅の合計は、クランプシリンダーの有効幅の１００％超、特に２００％超、又は３００％超を占める。したがって、より小さなクランプ空隙／クランプユニットがもたらされるにもかかわらず、高い除毛効率性が達成される。
【００１５】
本発明の少なくとも１つの態様による脱毛器の取り付け具、又は脱毛器のいくつかの実施形態において、２つのクランプ要素を含む少なくとも１つのクランプユニットが、クランプシリンダー上に構成され、クランプユニットの閉鎖位置において２つのクランプ要素が互いに当接する長さは、クランプシリンダーの筒状シリンダーの外辺部の約８％〜１２％の範囲であり、特に、約８．５％〜１０．５％の範囲、更に特に約１０％の値をとる。
【００１６】
本開示の少なくとも一態様による、脱毛器の取り付け具、又は脱毛器のいくつかの実施形態において、キャリア（例えば、クランプシリンダー、又はクランプディスク）は、通常の動作中にユーザーの皮膚と接触することを意図されない、下方に位置する表面を有し、この下方に位置する表面は、微視的又は巨視的な質感を有するか、又はキャリアが作製されるベース材料と毛との間の摩擦と比較して、毛とより高い摩擦を生じる、摩擦向上材料の表面コーティング又は表面層を有する。巨視的質感は特に、シリンダー長手方向に延びるリッジとして実現されてもよく、このリッジは約０．０２ｍｍ〜約２．０ｍｍの範囲、特に、約０．０５ｍｍ〜０．５ｍｍ、更に特に約０．１ｍｍの値を有してもよい。加えて、リッジの間の周辺方向の距離は、０．２ｍｍ〜約２．０ｍｍの範囲内であり得る。微視的質感は特に、例えば、ガラス繊維、又はセラミック粒子など、ベース材料中の充填剤料によって実現され得る、一定の粗さによって達成され得る。
【００１７】
本開示の少なくとも一態様による、脱毛器の取り付け具、又は脱毛器のいくつかの実施形態において、キャリア（例えば、クランプシリンダー、又はクランプディスク）上に配置された少なくとも１つのクランプユニットが構成され、このクランプユニットは、クランプ表面を有するクランプ区分、及びガイド表面を有する翼状区分を有するクランプ要素を有し、このガイド表面はクランプ表面から外側に向かって角度を有し（すなわち、翼状区分はクランプ区分から外側に離れるように角度を有する）、ガイド表面は三次元形状を有し、すなわち、ガイド表面はデカルト座標系の平面内に位置しない。
【００１８】
本開示の少なくとも一態様による、脱毛器の取り付け具又は脱毛器のいくつかの実施形態において、少なくともクランプユニットが、キャリア（例えば、クランプシリンダー、又はクランプディスク）上に配置され、このクランプユニットはクランプ区分及び翼状区分を有する可動クランプ要素を有し、翼状区分は、可撓性であるか、又はクランプ区分においてヒンジ留めされ、翼状区分は非制限の値である既定値でクランプ区分から外側に傾くように予負荷を受け、翼状区分がクランプ区分から傾く角度は、予負荷に対向してかかる力によって修正することができる（例えば、減らされる）。特に、予負荷に対向してかかる力は、クランプユニットが開放位置にあるときに、翼状区分の自由端が当接する固定壁要素によってもたらされてもよく、翼状区分がクランプ区分から傾く角度が修正される（特に、増加する）ように可動クランプ要素が移動する際に、翼状区分の自由端がその移動の少なくとも一部にわたって、この固定壁要素に沿って摺動する。
【００１９】
図１は、取り外し可能な取り付け具１０、及びユーザーの手が把持し得るハウジング区分２０を有する、脱毛器１の代表的な実施形態の描写である。ハウジング区分２０は、オン／オフスイッチ２１（これは、異なる速度設定の間でも使用され得る）、及び／又は、例えば熱可塑性エラストマー又は天然ゴムなどの、（特定の構造の）摩擦向上材料から作製され得る把持領域２２を含み得る。ハウジング区分はまた、駆動及び／又はエネルギー源（例えば、アキュムレータ）を含み得る。示される実施形態において、取り付け具１０は、複数のクランプユニット１２を有するクランプシリンダー１１を含む。クランプシリンダー１１は、クランプユニット１２が毛を捕捉する方向Ｄに沿って移動するように、その中央軸Ａ（すなわち、長手方向シリンダー軸）を中心に、駆動移動するように構成される。取り付け具１０は、開口部１４を有する取り外し可能なキャップユニット１３を含んでもよく、開口部１４を通じてユーザーの皮膚と接触するようにクランプシリンダー１１が延びている。開口部１４は、シリンダー長手方向で測定される、クランプシリンダー１１の有効幅Ｅを画定し、これは、脱毛器が動作中に毛をクランプし、引っ張ることができる、幅である。ユーザーは典型的には、毛を捕捉する方向Ｄと一致する、移動方向Ｍに沿って、皮膚上で脱毛器を移動させる。以下で更に詳細に記載されるように、クランプユニット１２はそれぞれ、２つのクランプ要素を含み、その少なくとも一方のクランプ要素が可動であるように構成されている。クランプ要素は、クランプ要素のクランプ表面の間に延びる空隙に毛が入り得る開放位置と、クランプ表面が少なくともクランプ線に沿って互いに当接している閉鎖位置との間で周期的に移動するように構成されている。一般的に既知であるように、閉鎖位置において、クランプユニットによりクランプされる毛は、クランプユニットが閉鎖位置にあり続ける一方で、クランプユニットが毛を捕捉する方向Ｄに移動し続けると、最終的に皮膚から引っ張られる。特許文献欧州特許第１  ７９６  ５０１（Ｂ１）号は、複数のクランプユニットを備えるクランプシリンダーを有する脱毛器について記載し、この文献の内容は本明細書において参照として組み込まれる。
【００２０】
図１において、及び以下の代表的な実施形態において、クランプユニットを担持するクランプシリンダーを有する脱毛器又は脱毛器の取り付け具が記載されるが、このクランプユニットは、毛を捕捉する方向に沿って駆動されるように構成された、いずれかの他のキャリアに配置されてもよい。例えば、クランプユニットは、中央軸を中心に駆動回転するように構成されたディスクにより提供されてもよい。
【００２１】
図２は、取り外した状態の、脱毛器の取り付け具１０の代表的な実施形態を示し、この取り付け具１０は、図１に関して記載される取り付け具によるものである。脱毛器の取り付け具は取り外し可能であるものとして示されるが、これは、取り付け具に関して記載される特徴がまた、取り外し可能な取り付け具を有さない脱毛器（すなわち、クランプユニットが、脱毛器のキャリア（例えば、クランプシリンダー）に配置される）において実現され得ることを排除するものではない。
【００２２】
図３は、斜視図で示される、クランプシリンダー３０の代表的な実施形態を示す。複数のクランプユニット３１は、クランプシリンダー３０上に配置される。各クランプユニット３１は、固定クランプ要素３２、及び可動クランプ要素３３を含む。固定クランプ要素３２は、クランプシリンダーのベース材料と一体に形成されてもよく、例えば、固定クランプユニットはプラスチック材料から作製されてもよく、プラスチック射出成形プロセスにより、クランプシリンダーの一部と一緒に製造されてもよい。先に記載されたように、クランプ要素３２、３３は、毛がそこに入ることができるように、空隙３４がクランプ要素の間に延びる開放位置と、クランプ要素が互いに隣接し、よって空隙内に入った毛をクランプする閉鎖位置との間で周期的に移動するように構成されている。可動又は固定クランプ要素の一方の少なくとも１つの翼状区分が、最外弧状部分を含む。可動クランプ要素又は固定クランプ要素の少なくとも一方のクランプ区分もまた、最外弧状部分を含む。したがって、クランプ要素３２、３３は、本質的に筒状シリンダーの表面上に位置する、最外表面３２Ａ、３３Ａを有する。外側表面３２Ａ、３３Ａは、動作中にユーザーの皮膚と接触することを意図されている。示される代表的な実施形態において、クランプシリンダー表面の低い高さ（すなわち、筒状シリンダーの下の、クランプシリンダーの高さ、図６参照）において、シリンダー長手方向に延びる、規則的なパターンのリッジ３６が設けられる。いくつかの実施形態において、筒状シリンダーは、約１９ｍｍの直径を有してもよく、より低い表面（すなわち、リッジの頂部により画定される表面）により画定されるシリンダーは、約１７ｍｍの直径を有し得る。いくつかの実施形態において、リッジは約０．１ｍｍの高さを有してもよい。リッジ（又は同様の構造）の形状及び機能が以下で更に詳細に記載されるが、リッジとして示されるこのような構造は、皮膚の近くある毛を垂直にするために役立つ。クランプシリンダー３０は、取り付け具に設けられる対応するベアリングが支持し得る軸３９を含み、これによりクランプシリンダー３０がその中央軸Ｃを中心として回転方向Ｒに回転できるようになる。ばね３８は、クランプシリンダー部分を一緒に圧迫し、閉鎖位置においてクランプ要素を一緒に圧迫するためのクランプ力をもたらす。クランプシリンダー３０はまた、追加の歯車と係合するために設けられた、少なくとも１つの歯車３７を含んでもよく、この追加の歯車は動作中に駆動されてもよく、この追加の歯車は、ハウジング区分の一部であってもよい。
【００２３】
図３に示されるクランプシリンダーの代表的な実施形態は、複数のクランプ要素を有し得るが、本開示により、クランプシリンダーが少なくとも１つのクランプユニットを有することで十分であることに留意する。２つ以上のクランプユニットの場合において、クランプユニットはそれぞれ異なる場合があり、例えば、１つのクランプユニットが固定クランプ要素及び可動クランプ要素を含んでもよく、別のクランプユニットが２つの可動クランプユニットを含んでもよいことに留意する。一般的に、代表的な実施形態に関して示され、記載される全ての特徴は、この組み合わせにおいてのみ開示される必要は必ずしもなく、本開示の趣旨及び範囲を逸脱することなく分離され得る全ての特徴は、他の全ての特徴から別個に開示されるものと考えるべきであることに、留意する。例えば、図３に関連して記載されるクランプシリンダーに設けられるリッジは、単に任意の機構であり得るばかりではなく、実際に本開示の別個の態様であるものとみなされ得る。
【００２４】
一般的に脱毛シリンダーは、より高い摩擦の、低い表面を備えてもよく、この摩擦向上（毛に関して）巨視的構造（例えば、図３に関して示され、記載されるリッジ）、若しくは微視的構造（例えば、一定の粗さ）により、又はクランプシリンダーを作製する際に使用されるプラスチック材料と比較し、毛（例えば、ケラチンフィラメント）とのより高い摩擦をもたらす材料の選択によって達成され得ることに留意する。例えば、クランプシリンダーのより低い表面は、人口ゴムのコーティングを有し得る。より低い表面の摩擦向上は、毛が皮膚の近くの場所から直立させられた毛の数を増加させる可能性があることが見出された。皮膚の近くに位置する毛は、皮膚表面から一定の高さにある。より低い表面は、効率よく毛を立てるために、筒状シリンダーから、約０．２５ｍｍ〜約３．０ｍｍ、特ｚに約０．５ｍｍ〜１．５ｍｍという典型的な値により、凹んでいる。直立する毛が多くなると、脱毛器の効率性が向上する傾向がある。脱毛器のより低い表面のより高い摩擦が、クランプシリンダーのベース材料において実現される微視的又は巨視的構造によりもたらされても、又はより低い表面を被覆する異なる材料のコーティング若しくは層よりもたらされても、この特徴は、本開示の別個の態様としてみなされるが、この特徴はまた、本開示の他の全ての特徴と組み合わせることができる。
【００２５】
図４Ａは、開放位置において概略的に示されるクランプユニット１００の代表的な実施形態を示し、このクランプユニット１００は、図３に示されるクランプシリンダー上に配置されてもよい。クランプユニットは、向かい合うように配置された、可動クランプ要素１１０、及び固定クランプ要素１２０を有する。可動クランプ要素１１０は、ステンレススチールシート材料などの金属シートから作製されてもよいが、可動クランプ要素がプラスチック又は強化プラスチックなどの他の材料から作製され得ることを排除するべきものではない。固定クランプ要素１２０は、クランプシリンダーの少なくとも一部の一体部分であってもよく、かつプラスチック材料（例えば、プラスチック射出成形プロセスにより）、特にガラス繊維又はセラミック粒子などの充填物質により補強されたプラスチック材料から作製されてもよい。
【００２６】
可動クランプ要素１１０は、クランプ区分１１１、及び翼状区分１１２を有する。クランプ区分１１１は、長さ方向Ｌに、長さＬ１だけ延び、クランプ表面１１３を有する。長さ方向Ｌは、動作中にクランプユニット１００が移動する、毛を捕捉する方向（図１の参照記号Ｄを参照されたい）と一致する。固定クランプ要素１２０は、クランプ区分１２１、及び翼状区分１２２を有する。クランプ区分１２１は、長さ方向Ｌに長さＬ１だけ延び、可動クランプ要素１１０のクランプ表面１１３と面するクランプ表面１２３を有する。２つの対向するように配置されたクランプ要素１１０、１２０の部分が、長さ方向Ｌと一致し、これにより、閉鎖位置（図４Ｂ）において有効クランプ長さもまたＬ１となる。図４Ａに示される開放位置において、空隙１３０は、可動クランプ要素１１０のクランプ表面１１３と、固定クランプ要素１２０のクランプ表面１２３との間に延びる。空隙１３０は、開放位置において、幅方向Ｗに最小空隙幅Ｗ２を有する（幅方向Ｗは長さ方向Ｌと垂直であり、すなわち、幅方向は毛を捕捉する方向と垂直である）。クランプ区分１１１、１２１は、開放位置において必ずしも互いに平行である必要はないので、最小空隙幅Ｗ２は、空隙の範囲全体にわたり同じでなくてもよい。最適空隙幅Ｗ２は、毛が空隙内に送達され得るような大きさである。典型的な人間の毛の直径は、８０μｍ±４０μｍの範囲内にあり得、空隙幅Ｗ２は、約０．１ｍｍ〜約２．０ｍｍの範囲、特に約０．４ｍｍ〜約１．４ｍｍの範囲にあり得る。いくつかの実施形態において、最小空隙幅Ｗ２は、約０．６ｍｍであり得る。
【００２７】
固定クランプ要素１２０の翼状区分１２２は、クランプ区分１２１のクランプ表面１２３から、角度１２５で、外側に傾いたガイド表面１２４を有し、これにより、クランプユニット１００の前側１０１上に漏斗形状の第１の側が形成される。クランプユニット１００の前側１０１は、クランプユニット１００がここでは長さ方向Ｌと一致する毛を捕捉する方向に沿って移動するときに、動作中に毛がクランプユニット１００に接近する側である。翼状区分１２２のガイド表面１２４が、長さ方向Ｌで長さＬ２にわたり、かつ幅方向Ｗで幅Ｗ３にわたり延びる。可動クランプ要素１１０の翼状区分１１２は、クランプ区分１１１のクランプ表面１１３から、角度１１５で外側に傾いたガイド表面１１４を有し、これにより、漏斗形状の第２の側が形成される。翼状区分１１２のガイド表面１１４は、長さ方向Ｌで長さＬ３だけ延び、幅方向Ｗで幅Ｗ１だけ延びる。クランプユニット１００が毛を捕捉して引っ張る合計有効幅Ｗ４が、翼状区分１１２及び１２２の幅、及び空隙の幅Ｗ２の合計により求められる（Ｗ４＝Ｗ１＋Ｗ２＋Ｗ３）。クラップユニットが毛を捕捉する合計有効幅は、２ｍｍ〜７ｍｍであり得、これはクランプユニット内の両方の翼状区分幅と、開放位置におけるクランプ区分の間の空隙幅の合計である。
【００２８】
一般的に既知であるように、可動クランプ要素１２０はバネ荷重式であり得、クランプユニット１００は、２つのクランプ要素１１０、１２０が互いに向かい合わせに推進されない限り、開放位置にあるようになっている。
【００２９】
動作中、クランプユニット１００がユーザーの皮膚に対して移動し、これにより皮膚から生えている毛がクランプユニット１００の前側１０１からクランプユニット１００に接近し、ガイド表面１１４及び１２４によって空隙１３０内に案内され、この空隙は、クランプ表面１１３、１２３が互いに推進されるまで閉鎖され、これにより空隙１３０内の毛はその後クランプされて、最終的に、クランプユニット１００とユーザーの皮膚との間の相対移動によって皮膚から引っ張られる。クランプユニット１００とユーザーの皮膚との間の相対移動は２つの成分を有する：例えば、クランプシリンダーを回転させることにより、クランプユニット１００に動力を与える脱毛器の駆動によりもたらされる、通常、より速い成分、及び手動により皮膚上で脱毛器を動かすことでユーザーによりもたらされる運動によって付与される、通常、より遅い成分。クランプシリンダーは、約５００ｒｐｍ〜約５０００ｒｐｍの範囲、特に、約１０００ｒｐｍ〜２５００ｒｐｍの範囲にある、毎分回転数（ｒｐｍ）で駆動され得る。いくつかの実施形態において、クランプシリンダーは、約１３００ｒｐｍ〜約１９００ｒｐｍの範囲で回転し得る。
【００３０】
いくつかの実施形態において、固定クランプ要素１２０のガイド表面１２４が幅方向Ｗで延びる、幅Ｗ３は、漏斗形状の第１の側の外側縁部で捕捉される毛が、クランプユニットに引っ張られることを可能にするような値に設定されてもよい。この値は特に、脱毛される毛の典型的な毛の長さ、及び脱毛事象の間の典型的な時間に依存し得る。人間の皮膚に生える毛が延びる典型的な長さは、約０．２ｍｍ／日である。典型的な脱毛の間の期間は、２週間、すなわち１４日間であり得、各脱毛事象の間に毛は２．８ｍｍ伸びる。脱毛の間、皮膚から引っ張られない一部の毛は典型的には、皮膚表面下約０．５〜１．０ｍｍで途切れ、途切れた毛の皮膚より上の毛の長さは、およそ１．８ｍｍ〜２．３ｍｍの範囲であり得る（毛根の少なくとも一部と一緒に引っ張られる毛は、まず毛根が再形成される必要があるために、伸びるまで一定の期間を必要とする）。一定の長さの毛は、確実に脱毛するためにクランプユニットの空隙内へと伸びる必要があるものと想定し、固定クランプ要素のガイド表面の幅Ｗ３の典型的な値はしたがって、約０．４ｍｍ〜２．０ｍｍの範囲であり得る。可動クランプ要素１１０が固定クランプ要素１２０に向かって移動する際、漏斗形状の第２の側の有効幅は、空隙幅Ｗ２と、可動クランプ要素１１０のガイド表面１１４の幅Ｗ１との合計によって決定される。したがって、漏斗形状の幅を対称に設定するためには、Ｗ１を、Ｗ３からＷ２を引いたものとすることを必要とする（Ｗ１＝Ｗ３−Ｗ２）。これは、対称性による案内効率性のため、翼状の区分は非対称に実現されてもよいことを意味し、例えば、可動クランプ要素１１０の翼状区分１１２のガイド表面１１４は、固定クランプ要素１２０の翼状区分１２２のガイド表面１２４の幅３と比較して、より短いＷ１を有し得る。換言すると、固定クランプユニットは、可動クランプユニットの翼状区分よりも、より長い、及び／又はより広い幅範囲を備える、翼状区分を含む。
【００３１】
いくつかの実施形態において固定クランプ要素１２０の翼状区分１２２のガイド表面１２４の長さＬ２は、約２ｍｍ〜約８ｍｍの範囲であり得、対応する幅Ｗ３は、約０．５ｍｍ〜約３．０ｍｍの範囲であり得る。いくつかの実施形態において、長さＬ２は、約５ｍｍであり得る。いくつかの実施形態において、幅Ｗ３は１．５ｍｍであり得、これは２週間後の上記の途切れた毛の長さを適切に考慮した値としてみなすことができ、よって、典型的な毛の長さに基づいて適合された高い効率性をもたらすことができる。より大きな幅Ｗ３は、毛がより長い場合（例えば、脱毛事象の間の期間がより長い場合）に更に効率性を向上させることができるが、より長い幅Ｗ３は、クランプユニットが配置されるキャリア（例えば、クランプシリンダー）の上に、利用可能な空間をより多く必要とする。いくつかの実施形態において固定クランプ要素１１０の翼状区分１１２のガイド表面１１４の長さＬ３は、約０．１ｍｍ〜約４．０ｍｍの範囲であり得、幅Ｗ１は、約０．１ｍｍ〜約２．０ｍｍの範囲であり得る。いくつかの実施形態において、長さＬ３は、約２ｍｍであり得る。いくつかの実施形態において、幅Ｗ１は、約０．８ｍｍであり得る。
【００３２】
いくつかの実施形態において、可動クランプ要素１１０のクランプ表面１１３と、翼状区分１１２のガイド表面１１４との間の角度１１５、及び／又は固定クランプ要素１２０のクランプ表面１２３と、翼状区分１２２のガイド表面１２４との間の角度１２５は、約５°〜約４５°の範囲、特に約１０°〜約３０°の範囲であり得る。いくつかの実施形態において、対応する角度１１５、１２５は異なることがあり得、特に角度１１５は角度１２５よりも大きいことがあり得る。いくつかの実施形態において、可動クランプ要素１１０の翼状区分１１２のクランプ表面１１３とガイド表面１１４との間の角度１１５は、約２２．５°であり得る。いくつかの実施形態において、固定クランプ要素１２０の翼状区分１２２のクランプ表面１２３とガイド表面１２４との間の角度１２５は、約１６°であり得る。
【００３３】
いくつかの実施形態において、代替的に、又は追加的に、固定クランプ要素１２０のガイド表面１２４が幅方向Ｗに延びる幅Ｗ３は、最小空隙幅Ｗ２と可動クランプ要素１１０の翼状区分１１２のガイド表面１１４の幅Ｗ１との和とほぼ同じであり（Ｗ３≒Ｗ１＋Ｗ２）、特にＷ３とＷ２＋Ｗ１との差は１０％以下であり、任意により５％以下であり、また特に、Ｗ３はＷ１＋Ｗ２と等しい（Ｗ３＝Ｗ１＋Ｗ２）。
【００３４】
図４Ｂは、開放位置にある図４Ａに示されるクランプユニット１００を、閉鎖位置にある状態で、概略的に示す。閉鎖位置に到達するために、可動クランプ要素１１０は、図４Ａに示されるように、ほぼ閉鎖方向Ｍに沿って、固定クランプ要素１２０の方へと移動し、これにより、閉鎖位置において、可動クランプ要素１１０のクランプ表面１１３は、少なくともクランプ線に沿って固定クランプ要素１２０のクランプ表面１２３に当接し、任意によりクランプ表面１１３、１２３は、層状に互いに当接する。クランプ表面は、単純にクランプ線に沿って互いに当接することで十分であり得るが、クランプ線に沿って高い圧力が存在してもよく、この高い圧力のために引っ張る手順の間に毛が切れることがあり得、又は破断することがあり得る。したがって、層状のクランプ領域は、切れるか、破断する毛の数を低減させる傾向を有し得る。
【００３５】
有効毛接触領域Ａが画定されてもよく、これは、クランプユニットにより毛がクランプされる領域であり、より大きな領域から空隙へと毛を案内し得るガイド表面の効果は無視するものとする。有効毛捕捉領域Ａはひいては、クランプユニットのクランプ長さｌに依存し、クランプユニットのクランプ要素が閉じる閉鎖速度ｃ、空隙幅ｄ、及びクランプユニットが皮膚に対して移動する速度ｖに依存し、したがってＡ＝ｄ（ｌ−１／２ｖ・ｄ／ｃ）である。典型的な閉鎖速度ｃは、約０．７ｍ／秒〜約１．３ｍ／秒の範囲、特に約１ｍ／秒であり得る。したがって、先行技術の装置において既知の、４．０ｍｍの典型的なクランプ長さ、０．９ｍｍの空隙幅、及び２０００ｍｍ／秒の移動速度の、閉鎖速度１０００ｍｍ２／秒に対する閉鎖時間に関する有効毛捕捉面積は、２７９０ｍｍ／秒である。クランプユニット及び脱毛器のパラメーターが、閉鎖時間に対する有効毛捕捉面積が、少なくとも３５００ｍｍ2／秒、又は少なくとも４０００ｍｍ2／秒、又は少なくとも４５００ｍｍ2／秒であるように選択されると、全体的な脱毛効率性が向上する。
【００３６】
図５Ａは、少なくとも本開示の一態様による、脱毛器のクランプユニット２００の概略図であり、このクランプユニット２００は開放位置にあるものとして示される。クランプユニット２００は、可動クランプ要素２１０、及び固定クランプ要素２２０を含む。図４Ａ及び図４Ｂに示されるクランプユニット１００と同様に、可動クランプ要素はクランプ区分２１１及び翼状区分２１２を含み、クランプ区分２１１はクランプ表面２１３を有し、翼状区分２１２はクランプ表面２１３から外側へと、角度２１５で傾くガイド表面２１４を有する。したがって、可動クランプ要素２２０はクランプ区分２２１及び翼状区分２２２を含み、クランプ区分２２１はクランプ表面２２３を有し、翼状区分２２２はクランプ表面２２３から外側へ角度２２５で傾くガイド表面２２４を有する。クランプ表面２１３及び２２３は、本質的に互いに反対に配置され、開放位置において、毛を受容するような大きさの空隙２３０により分離される。示される代表的な実施形態において、可動クランプ要素２１０の翼状区分２１２は、ヒンジ２１９によりクランプ区分２１１にヒンジ留めされ、翼状区分２１１はストッパ要素２４０と接触する自由端２１６を有する。ヒンジ２１９は、クランプ区分２１１と、翼状区分２１２との間に配置される弾性材料により実現され得、両区分とも金属シート材料から作製され得る。翼状区分２１２は予負荷Ｆを受け、無調整の状態でガイド表面２１４が、クランプ表面２１３から外側に傾く角度は、図５Ａに示される角度２１５よりも大きくなっており、この角度２１５は翼状２１２が予負荷Ｆの存在下において移動するように制約を与える、ストッパ要素２４０の相対位置により決定される。矢印Ｎにより示されるように、可動クランプ要素２１０は、固定クランプ要素２２０の方へと移動されて、図５Ｂに示される閉鎖位置を達成する。可動クランプ要素２１０が方向Ｎに沿って移動するとき、可動クランプ要素２１０の翼状区分２１２の自由端２１６は、予負荷Ｆがかかっているために、ストッパ要素２４０と接触したままであり、方向Ｐに沿って移動する。
【００３７】
図５Ｂは、図５Ａに示されるクランプユニット２００の閉鎖位置を概略的に示す。閉鎖位置において、可動クランプ要素２１０のクランプ表面２１３、及び固定クランプ要素２２０のクランプ表面２２３は、少なくともクランプ線に沿って互いに当接する。閉鎖位置において、可動クランプ要素２１０の翼状区分２１２のガイド表面２１４は、クランプ表面２１３から外側に角度２１５Ａで傾いており、この角度は、図５Ａにおいて対応する表面が有する角度２１よりも大きい。
【００３８】
クランプユニットが閉じている際に翼状区分のガイド表面の幅が増加するように、予負荷を受けた可動クランプ要素の翼状区分を提供することは、本開示の別個の態様としてみなされるが、この特徴が本開示において記載される他の全ての特徴と組み合わせ得ることを排除するものではないことに留意する。
【００３９】
いくつかの実施形態において、図４Ａ又は図５Ａに示される複数の４０のクランプユニットが、図３に示されるクランプシリンダー上に配置されてもよい。クランプシリンダーは、３１．９ｍｍの有効クランプ幅を有し得るが、各クランプユニットの空隙幅は、０．６ｍｍであり得、各クランプユニットの合計漏斗形状幅は、約２．６ｍｍであり得る。クランプユニットの空隙は、これらが、長手方向シリンダー軸方向で重複しないように、クランプシリンダー上に配置されることを想定し、合計空隙幅（各０．６ｍｍである４０の空隙幅全ての和）は２４ｍｍであり、これは、クランプシリンダーが約６１％の空隙カバー範囲を有することを意味する。他方で、全てのクランプユニットの合計の漏斗形状の幅は１０４ｍｍであり、これはクランプシリンダーが、漏斗形状により約３２６％カバーされていることを意味する。換言すると、皮膚上に生えるそれぞれの毛はクランプシリンダー一回転ごとに、３超のクランプユニットによりクランプされ得、引っ張られることがある。脱毛シリンダーの空隙カバー範囲は、１００％未満であるが、漏斗形状のカバー範囲は１００％超であることが、本開示の一般的態様としてみなされる。特に、空隙のカバー範囲は、約２０％〜約９５％（特に、約５０％〜約８０％）の範囲であり得、追加的に又は代替的に、漏斗形状カバー範囲は、約１０５％〜約５００％の範囲であり得る（特に、約１５０％〜約４５０％、及び更に任意により、より低い漏斗形状カバー範囲の値は少なくとも２００％又は更に少なくとも３００％であり得る）。シリンダー長手方向軸方向におけるクランプユニットの間の距離が空隙幅よりも大きく（特に、この距離は空隙幅よりも少なくとも２５％大きく、また特に、この距離は空隙幅よりも３０％大きい）、かつ任意により更に、各クランプユニットが、クランプシリンダーの周辺部において異なる角度位置を有するようなクランプユニットの周辺構成を備えることが（例えば、４０のクランプユニットの場合、クランプユニット間の角度距離は９°であり得る）、クランプユニットの大きな漏斗形状幅を実現するために十分な空間をもたらす上で役に立つことが見出された。
【００４０】
図６は、クランプシリンダー３００の代表的な実施形態の断面図であり、この断面図は、長手方向シリンダー軸と垂直な平面でとったものである。可動クランプ要素３１０は、クランプ長さｌに沿って延びるクランプ表面３１３を有することが見られ得る（クランプ長さｌは、可動クランプ要素３１０の頂部の高さで測定され、この頂部の高さは可動クランプ要素３１０の上面３１０Ａにより画定され、この頂面３１０Ａは、動作中にユーザーの皮膚に接触することが意図される）。示される実施形態において、可動クランプ要素の外側表面３１０Ａが、シリンダーの湾曲に適合することにも留意する。また、固定クランプ要素の部品に３つの切り込みが見られ得、その１つが、動作中にユーザーの皮膚と接触することが意図される上面３２０Ａを有する、固定クランプ要素３２０として指定される。外側表面３１０Ａ、３２０Ａは、直径Ｄ１を有する外側筒状シリンダー上に位置し、この直径Ｄ１は、約１０ｍｍ〜約４０ｍｍの範囲であり得る。図６において、リッジ３３６の規則的なパターン（これは、図３に示されるシリンダー軸と平行に延びてもよい）は、より低いシリンダー表面上に配置されるのが見られ得、このより低いシリンダーは、筒状シリンダーと同軸であり、直径Ｄ２を有し、Ｄ２＜Ｄ１である。いくつかの実施形態において、Ｄ２は、Ｄ１の約８０％であり得る。いくつかの実施形態において、クランプ長さｌは、断面の中心点から測定して約３６°の角度範囲にわたって延び、クランプ長さｌは、外側筒状シリンダーの外辺部の約１０％であり得る（すなわち、ｌ＝０．１・２π・Ｄ１／２）。一般的に、クランプ長さｌは、筒状シリンダーの外辺部の約８％〜約１２％の範囲であり得、特に約８．５％〜１０．５％の範囲であり得る。一般的にクランプ長さｌの増加は、クランプシリンダーの効率性を向上させ得るが、クランプ要素はまた、そのクランプ長さにわたり、皮膚と接触する必要がある（元来クランプされていない毛のために効率性が更に上がり得ない）。クランプシリンダーの外辺部の約１／１０のクランプ長さが、長さの増加による効率性の増加と、全長さ範囲にわたる確実な皮膚との接触との調和をもたらすことが見出された。
【００４１】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【図１】
2015530211.tif 000003
【図２】
2015530211.tif 000004
【図３】
2015530211.tif 000005
【図４Ａ】
2015530211.tif 000006
【図４Ｂ】
2015530211.tif 000007
【図５Ａ】
2015530211.tif 000008
【図５Ｂ】
2015530211.tif 000009
【図６】
2015530211.tif 000010
【国際調査報告】
2015530211.tif 000011
2015530211.tif 000012